(57)【要約】【課題】  本発明は、吊り下げたときに天板が開き難い吊下げ包装箱を提供する。【解決手段】  本発明の吊下げ包装箱は、箱本体２と、下側天板５と、下側天板５上に重なるように折り曲げられた上側天板６と、を有する。下側天板５は、略直角に折り曲げられた第１水平片５１と、第１水平片５１の端部に対向する端部を有する第２水平片５２と、第１水平片５１の端部に連設され且つ略直角に立ち上げられた第１起立片５３と、第２水平片５２の端部に連設され且つ略直角に立ち上げられた第２起立片５４と、を有する。第１起立片５３と第２起立片５４が合掌状に合わされることにより、面内に吊下げ用孔４１を有するヘッダー部４が形成され、ヘッダー部４が、上側天板６の挿通孔６３を通じて上方へ突出されている。第１水平片５１又は第２水平片５２には、挿通孔６３を横切り、第２水平片５２又は第１水平片５１と上側天板６の層間に差し込まれる架橋片７１が延設されている。【選択図】  図３
2010215252.tif 000002
【特許請求の範囲】
【請求項１】
開口部を有する箱本体と、前記箱本体の正面壁に連設され且つ前記開口部側へ折り曲げられた下側天板と、前記箱本体の背面壁に連設され且つ前記下側天板上に重なるように折り曲げられた上側天板と、を有し、
前記下側天板が、前記正面壁に対して略直角に折り曲げられた第１水平片と、前記第１水平片の端部に対向する端部を有する第２水平片と、前記第１水平片の端部に連設され且つ第１水平片に対して略直角に立ち上げられた第１起立片と、前記第２水平片の端部に連設され且つ第２水平片に対して略直角に立ち上げられた第２起立片と、を有し、前記第１起立片の上端部と第２起立片の上端部が連設されてヘッダー部が構成されており、前記ヘッダー部の面内に吊下げ用孔が形成され、前記ヘッダー部が、前記上側天板の面内に形成された挿通孔から上方へ突出されている吊下げ包装箱において、
前記第１水平片の端部又は第２水平片の端部には、前記上側天板の挿通孔を横切り、且つ前記第２水平片又は第１水平片と前記上側天板の層間に差し込まれる架橋片が延設されていることを特徴とする吊下げ包装箱。
【請求項２】
前記第１水平片の端部又は第２水平片の端部のうち、前記架橋片が設けられていない水平片の端部には、前記架橋片の下に重なる支持片が延設されている請求項１に記載の吊下げ包装箱。
【請求項３】
前記ヘッダー部が上側天板上に重なるように折り曲げ可能であり、前記ヘッダー部を上側天板上に重ねた状態を保持するための係止手段が設けられている請求項１又は２に記載の吊下げ包装箱。
【発明の詳細な説明】
【技術分野】
【０００１】
本発明は、商品を収納し、吊り下げて展示できる吊下げ包装箱に関する。
【背景技術】
【０００２】
従来より、吊下げ包装箱には、陳列棚の吊下げフックに挿入可能な吊下げ用孔を有するヘッダー部が突設されている。
一般に、吊下げ包装箱としては、次のような２つのタイプが知られている。１つは、ヘッダー部が箱本体の背面壁と同一平面上に突設されているタイプであり、もう１つは、ヘッダー部が箱本体の天板の中央部から上方に突設されているタイプである。前者のタイプは、吊り下げたときに商品の重量によって箱本体が傾く場合があるが、後者のタイプは、吊り下げたときに傾き難いという利点がある。
【０００３】
後者のタイプとして、特許文献１に記載の吊下げ包装箱が知られている。
特許文献１の吊下げ包装箱は、天板の左右にフラップを設け、このフラップに設けた挿入片が立方体状の左右側面板に設けた溝孔に挿通されている。この吊下げ包装箱は、左右のフラップが左右側面板に係止されているので、天板と側面上部の間に空隙が生じず、天板と左右側板の縁がアーチ状に変形せず、天板が開くことを防止できる（特許文献１の［００１４］、［００３０］）。
【先行技術文献】
【特許文献】
【０００４】
【特許文献１】特開２００５−１５３８９６号公報
【発明の概要】
【発明が解決しようとする課題】
【０００５】
しかしながら、上記特許文献１の吊下げ包装箱は、天板を形成した後、さらに、左右のフラップを左右側板の溝孔に挿通しなければならず、その組み立てが煩雑である。特に、左右側板の溝孔は、側板の面内に形成された一対の切り目であるため、これにフラップの舌片状部を挿入することは、非常に面倒である。
さらに、従来の吊下げ包装箱は、天板の中央部からヘッダー部が突設されているので、このヘッダー部が邪魔になり、多段状に積み重ねることができないという問題もある。
【０００６】
本発明の目的は、吊り下げたときに天板が開き難く、簡単に組み立てることができる吊下げ包装箱を提供することであり、これに加えて、多段状に積み重ねて保管することもできる吊下げ包装箱を提供することである。
【課題を解決するための手段】
【０００７】
本発明の吊下げ包装箱は、開口部を有する箱本体と、前記箱本体の正面壁に連設され且つ前記開口部側へ折り曲げられた下側天板と、前記箱本体の背面壁に連設され且つ前記下側天板上に重なるように折り曲げられた上側天板と、を有し、前記下側天板が、前記正面壁に対して略直角に折り曲げられた第１水平片と、前記第１水平片の端部に対向する端部を有する第２水平片と、前記第１水平片の端部に連設され且つ第１水平片に対して略直角に立ち上げられた第１起立片と、前記第２水平片の端部に連設され且つ第２水平片に対して略直角に立ち上げられた第２起立片と、を有し、前記第１起立片の上端部と第２起立片の上端部が連設されてヘッダー部が構成されており、前記ヘッダー部の面内に吊下げ用孔が形成され、前記ヘッダー部が、前記上側天板の面内に形成された挿通孔から上方へ突出されている吊下げ包装箱において、前記第１水平片の端部又は第２水平片の端部には、前記上側天板の挿通孔を横切り、且つ前記第２水平片又は第１水平片と前記上側天板の層間に差し込まれる架橋片が延設されている。
【０００８】
本発明の吊下げ包装箱は、ヘッダー部が、第１水平片に連設された第１起立片の上端部と第２水平片に連設された第２起立片の上端部とが連設されて構成されており、第１水平片の端部又は第２水平片の端部には、前記上側天板の挿通孔を横切り、且つ前記第２水平片又は第１水平片と前記上側天板の層間に差し込まれる架橋片が延設されている。このため、ヘッダー部を介して吊下げ包装箱を吊り下げたときに、商品の自重によりヘッダー部が引っ張られても、第１水平片及び第２水平片がアーチ状に湾曲し難くなる。よって、下側天板（第１水平片及び第２水平片）の上に重ねられた上側天板もアーチ状に湾曲し難く、天板が不用意に開き難い吊下げ包装箱を提供できる。
さらに、上記吊下げ包装箱は、天板の湾曲を防止するための架橋片を、切り目に挿入する必要がないので、簡易に組み立てることができる。
【０００９】
本発明の好ましい吊下げ包装箱は、前記第１水平片の端部又は第２水平片の端部のうち、前記架橋片が設けられていない水平片の端部には、前記架橋片の下に重なる支持片が延設されている。
【００１０】
前記好ましい吊下げ包装箱は、架橋片の下に重なる支持片が設けられているので、下側天板（第１水平片及び第２水平片）がより湾曲し難くなる。
【００１１】
本発明の他の好ましい吊下げ包装箱は、前記ヘッダー部が上側天板上に重なるように折り曲げ可能であり、前記ヘッダー部を上側天板上に重ねた状態を保持するための係止手段が設けられている。
【００１２】
前記他の好ましい吊下げ包装箱は、ヘッダー部を上側天板上に沿って折り曲げ且つ重ねた状態を保持することができる。従って、ヘッダー部が突出した吊下げ包装箱を、上側天板の上方にヘッダー部が突出しない包装箱へと変換できる。このため、１つの吊下げ包装箱の上側天板の上に、他の吊下げ包装箱の底面部を載せていくことができる（多段状に積み重ねることができる）。
【発明の効果】
【００１３】
本発明の吊下げ包装箱は、これを吊り下げたときに天板が開き難い。かかる吊下げ包装箱は、例えば、合成樹脂製シートに比して剛性の低いシート材（例えば、厚紙）を用いて形成することもできる。
さらに、本発明の吊下げ包装箱は、従来の包装箱に比して、簡単に組み立てることができ、機械的に組み立てることも可能である。
また、本発明の好ましい吊下げ包装箱によれば、これを多段状に積み重ねて保管することもできる。
【図面の簡単な説明】
【００１４】
【図１】１つの実施形態に係る吊下げ包装箱の正面図。
【図２】同背面側から見た斜視図。
【図３】図１のＩＩＩ−ＩＩＩ線で切断した断面図。ただし、収納した商品は、断面で表していない（図４も同様）。
【図４】図１のＩＶ−ＩＶ線で切断した断面図。
【図５】吊下げ包装箱を形成するためのシート材の展開図。
【図６】吊下げ包装箱の組み立て手順を示す斜視図。
【図７】図６（ｂ）の状態の吊下げ包装箱をその左側面から見た側面図。
【図８】ヘッダー部を倒した状態の吊下げ包装箱の斜視図。
【図９】ヘッダー部を倒した状態の他の実施形態に係る吊下げ包装箱の斜視図。
【発明を実施するための形態】
【００１５】
以下、本発明の好ましい一実施形態について、図面を参照しつつ具体的に説明する。
図１〜図４に於いて、本発明の吊下げ包装箱１は、開口部を有する箱本体２と、箱本体２の開口部を塞ぐ天板３と、天板３の面内から上方に突出され且つ吊下げ用孔４１を有するヘッダー部４と、を有する。
【００１６】
吊下げ包装箱１は、可撓性のあるシート材を組み立てることによって形成されている。
吊下げ包装箱１は、所定形状に形成された複数枚のシート材の適宜箇所を貼り合わせた接合シート材を組み立てることによって形成されていてもよいが、所定形状に形成された１枚のシート材から形成されていることが好ましい。
【００１７】
図５は、吊下げ包装箱１を形成するための１枚のシート材の展開図を示す（以下、展開図に表した展開したシート材を、展開シート１０という）。
この展開シート１０を組み立てることにより、上記吊下げ包装箱１が形成される。
なお、吊下げ包装箱１の各構成要素の説明において、図１〜図４に表されていない構成要素（符号）については、図５の展開シート１０を参照されたい。図５の展開シート１０には、吊下げ包装箱１の各構成要素に対応した符号を付している。ただし、図５において、全ての折り罫線を、便宜上、破線で表している。
【００１８】
上記吊下げ包装箱１を形成するシート材は、特に限定されず、従来公知のものを用いることができる。該シート材としては、厚紙、合成紙、ポリプロピレン、ポリエチレンなどのポリオレフィン系、ポリエチレンテレフタレートなどの合成樹脂製シート、及びこれらの積層シートなどが挙げられる。
本発明の吊下げ包装箱１は、後述するように、架橋片７１が設けられている。この架橋片７１は、第１水平片５１又は第２水平片５２から延設され、前記第２水平片５２又は第１水平片５１（対向する水平片）と上側天板６の層間に差し込まれている。かかる架橋片７が差し込まれていることによって、第１水平片５１及び第２水平片５２から構成される下側天板５と、この上に重なる上側天板６と、から構成される天板３は、耐荷重性の高いものとなる。よって、吊下げ包装箱１を吊り下げた際、天板３に加わる負荷が小さくなり、天板３の開きを防止できる。本発明の吊下げ包装箱１は、このように耐荷重性に優れた構造を有しているので、該包装箱１の形成材料として、合成樹脂製シートよりも剛性が低いもの（例えば厚紙など）も使用することができる。
シート材の厚みは、特に限定されない。シート材として厚紙を用いる場合には、厚み０．８ｍｍ〜１．５ｍｍ程度の厚紙を例示できる。シート材として合成樹脂製シートを用いる場合には、０．２ｍｍ〜１．０ｍｍ程度を例示される。
なお、シート材には、必要に応じて、商品名、絵柄、説明書きなどの所望の意匠印刷が施されていてもよい。
【００１９】
上記箱本体２は、例えば、上面開口型の直方体状に形成されている。もっとも、箱本体２は、直方体状に限られず、六角柱状、略楕円柱状などに形成することも可能である。
具体的には、上面開口型の直方体状に形成された箱本体２は、平面視四角形状の底面部２５と、この底面部２５の４辺から底面部２５に対して略直角に立ち上げられた正面壁２１、背面壁２２及び左右側面壁２３，２４と、を有する上面開口型の有底箱である。かかる箱本体２は、図５の展開シート１０に示すように、正面壁２１の側部に延設された糊代２６を右側面壁２３の側部に貼り付けた後、正面壁２１、背面壁２２及び左右側面壁２３，２４の下部からそれぞれ延設された底部形成用フラップ２７を組み合わせる（底面部２５は、組み合わされた底部形成用フラップ２７からなる）ことによって、形成することができる。
【００２０】
箱本体２の内部は、収納空間を有し、箱本体２の内部には、前記収納空間を上下に区画するための仕切壁２８が設けられている。仕切壁２８は、正面壁２１及び背面壁２２の一部分の領域を内側へ略直角に折り曲げることによって形成されている。
前記正面壁２１及び背面壁２２の一部分の領域は、例えば、図５の展開シート１０に示すように、正面壁２１及び背面壁２２の面内中央部に形成された、略逆Ｕ字状の切込み線２９で区画された領域からなる。この領域を、内側へ押し込み、折り罫線９Ａにおいて折り曲げることにより、仕切壁２８が形成される。
かかる仕切壁２８が設けられた吊下げ包装箱１は、箱本体２内に２つの商品又は２つの部品からなる商品を部品毎に分離して収納したい場合に好適である。
【００２１】
ここで、本明細書において、「切込み線」とは、シート材の厚み方向に完全に貫通する切り目、又は、シート材の厚み方向に完全に貫通していない切り目であって外部から押し込むことによって容易に貫通し得る切り目を意味する。
本明細書において、「折り罫線」とは、シート材を折り曲げ易く型付けできるように形成された線を意味し、例えば、シート材を厚み方向に押圧した押圧線、シート材を厚み方向に略Ｖ字状に切り込んだハーフカット線、シート材を貫通する短い孔が断続的に形成されたミシン目線などが挙げられる。
本明細書において、「略直角」とは、厳密な意味での直角ではなく、例えば、９０度±１０度を含む。
また、本明細書において、方向を示す用語として「上」及び「下」を使用するが、これは、吊下げ包装箱を吊り下げた場合を基準にしている。
【００２２】
次に、前記箱本体２の開口部を塞ぐ天板３は、下側天板５と、該下側天板５上に重ねられた上側天板６と、を有する。ヘッダー部４は、前記下側天板５の一部分を合掌状に折り曲げることにより形成されている。
具体的には、下側天板５は、箱本体２の正面壁２１の上端部に連設されている。下側天板５は、正面壁２１との境界線（上端縁）に沿って形成された折り罫線９Ｂにおいて、箱本体２の開口部側へ折り曲げ可能である。
一方、上側天板６は、箱本体２の背面壁２２の上端部に連設されている。上側天板６は、背面壁２２との境界線（上端縁）に沿って形成された折り罫線９Ｃにおいて、箱本体２の開口部側へ折り曲げ可能である。
【００２３】
さらに、下側天板５は、正面壁２１に対して略直角に折り曲げられた第１水平片５１と、前記第１水平片５１の端部に対向する端部を有する第２水平片５２と、前記第１水平片５１の端部に連設され且つ第１水平片５１に対して略直角に立ち上げられた第１起立片５３と、前記第２水平片５２の端部に連設され且つ第２水平片５２に対して略直角に立ち上げられた第２起立片５４と、を有し、前記第１起立片５３の上端部と第２起立片５４の上端部が連設され、第１起立片５３と第２起立片５４が合掌状に合わされてヘッダー部４が構成されている。このヘッダー部４の面内には、吊下げ用孔４１が形成されている。
【００２４】
具体的には、前記第１水平片５１は、正面壁２１の上端部に連設され且つ折り罫線９Ｂにおいて正面壁２１に対して折り曲げ可能であり、箱本体２の開口部側に向けて正面壁２１に対して略直角に折り曲げられている。
前記第１起立片５３は、第１水平片５１の先端部に連設され且つ折り罫線９Ｄにおいて第１水平片５１に対して折り曲げ可能であり、箱本体２の上方側に向けて第１水平片５１に対して略直角に折り曲げられている。
前記第２起立片５４は、第１起立片５３の端部に連設され且つ折り罫線９Ｅにおいて第１起立片５３に対して折り曲げ可能であり、箱本体２の上方側に向けて第２水平片５２に対して略直角に折り曲げられている。従って、第１起立片５３と第２起立片５４は、その内面が接した合掌状に合わさっている。
前記第２水平片５２は、第２起立片５４の端部に連設され且つ折り罫線９Ｆにおいて第２起立片５４に対して折り曲げ可能であり、箱本体２の開口部側に向けて第２起立片５４に対して略直角（第１水平片５１と略同一平面上）に折り曲げられている。
図４に示すように、第１水平片５１と第２水平片５２は、略同一平面上（箱本体２の底面部２５と略平行な面）に配置され、且つ第１水平片５１の端部（折り罫線９Ｄの部分）と第２水平片５２の端部（折り罫線９Ｆの部分）が向かい合っている。以下、この向かい合った第１水平片及び第２水平片の端部を指すときに、それぞれ「対向端部」という場合がある。
【００２５】
前記第１水平片５１の対向端部には、架橋片７１が延設され、この対向端部と対向した前記第２水平片５２の対向端部には、支持片７２が延設されている。この架橋片７１は、第１水平片５１と略同一平面上に延設され、支持片７２は、第２水平片５２と略同一平面上に延設されている。この架橋片７１は、図３及び図４に示すように、上側天板６と略平行な第１水平片５１の対向端部からこれと略平行に延び、架橋片７１の先端部が第２水平片５２上に重ねられている。支持片７２は、上側天板６と略平行な第２水平片５２の対向端部からこれと略平行に延び、支持片７２の先端部が第１水平片５１の下に重ねられている。
前記架橋片７１及び支持片７２は、例えば、図５の展開シート１０に示すように、第１起立片５３及び第２起立片５４の面内に形成された、孔形成用第１切込み線５５及び孔形成用第２切込み線５６で区画された領域からなる。
【００２６】
この孔形成用第１切込み線５５及び孔形成用第２切込み線５６は、第１起立片５３及び第２起立片５４の間の折り罫線９Ｅを基準にして、線対称となる位置にそれぞれ形成されている。前記各切込み線５５，５６は、第１起立片５３及び第２起立片５４の面内に形成された、両端部を有する有端弧状の切込み線であり、例えば、上側に膨らむ弧状の切込み線である。各切込み線５５，５６の両端部は、それぞれ折り罫線９Ｄ，９Ｆの端部に連続している。また、各切込み線５５，５６の両端部の間における、第１起立片５３及び第２起立片５４の面内には、折り罫線は形成されていない。従って、第１起立片５３及び第２起立片５４を各折り罫線９Ｄ，９Ｆにおいて略直角に折り曲げたとき、前記孔形成用第１切込み線５５及び孔形成用第２切込み線５６で囲われる内側領域（すなわち、架橋片７１及び支持片７２）は、第１起立片５３及び第２起立片５４に追従して折れ曲がらず、第１水平片５１及び第２水平片５２と略同一平面上に延設される。また、第１起立片５３及び第２起立片５４を合掌状に合わせてヘッダー部４を形成したとき、第１起立片５３及び第２起立片５４の面内において、前記孔形成用第１切込み線５５及び孔形成用第２切込み線５６で囲われる内側領域が抜けるため、この抜けた部分が、へッダー部４の吊下げ用孔４１となる。
【００２７】
なお、前記第１水平片５１と正面壁２１の境界線に沿って（折り罫線９Ｂ上に）、挿入用切込み線５７が形成されている。この挿入用切込み線５７には、上側天板６のフラップ片６１が挿入される。この挿入用切込み線５７は、基本的に直線状であるが、該切込み線５７の両端部は、前記フラップ片６１の両端部を確実に係止するため、僅かに外側へ屈曲した形状に形成されている。
【００２８】
また、ヘッダー部４の上端部には、係止爪部４２が延設されている。該係止爪部４２は、上側天板６に形成された係止孔６２に挿入される。かかる係止爪部４２は、例えば、第２起立片５４の面内に形成された、爪部形成用切込み線５８で区画された領域からなる。この爪部形成用切込み線５８は、第１起立片５３と第２起立片５４の境界線において、第１起立片５３側から第２起立片５４側へ膨らむ弧状の切込み線である。かかる切込み線５８が形成されていることにより、第１起立片５３と第２起立片５４を折り罫線９Ｅにおいて合掌状に折り曲げたときに、第１起立片５３の端部から係止爪部４２が延設される。
本実施形態において、ヘッダー部４を上側天板６上に重ねた状態を保持するための係止手段は、前記係止爪部４２と係止孔６２とから構成される。
【００２９】
次に、上側天板６は、箱本体２の背面壁２２の上端部に連設され、且つ折り罫線９Ｃにおいて背面壁２２に対して略直角に折り曲げられている。折り曲げられた上側天板６は、その先端部に設けられたフラップ片６１を挿入用切込み線５７に挿入することにより、箱本体２の開口部を閉塞している。
この上側天板６は、下側天板５の第１水平片５１及び第２水平片５２の上に重ねられている。
また、上側天板６の面内には、細長い挿通孔６３が形成されている。この挿通孔６３にヘッダー部４が挿通され、上側天板６の中央部の上に、ヘッダー部４が突出されている。この挿通孔６３は、ヘッダー部４を挿入できる大きさに形成されたスリット状の孔部であり、その幅は、ヘッダー部４を挿通できることを条件として、比較的狭いことが好ましい。例えば、挿通孔６３の幅は、２ｍｍ〜５ｍｍ程度が好ましい。
上記架橋片７１は、前記挿通孔６３の下側において挿通孔６３を横切っており、架橋片７１の先端部が第２水平片５２と上側天板６の層間に差し込まれている。また、かかる架橋片７１の下側には、支持片７２が重なっており、さらに、支持片７２の先端部は、第１水平片５１の下に重なっている。
かかる架橋片７１及び支持片７２が設けられていることにより、ヘッダー部４を介して吊下げ包装箱１を吊り下げたときに、上側天板６がアーチ状に湾曲し難くなる。
【００３０】
本発明の吊下げ包装箱１は、次ような手順で形成できる。
展開シート１０の糊代２６を右側面壁２３の側部に貼り付けた後、底部形成用フラップ２７を組み合わせて箱本体２を形成する。
この箱本体２の中に、商品を入れる。商品を入れる際、必要に応じて、正面壁２１及び背面壁２２の一部を内側へ押し込んで、箱本体２内に仕切壁２８を形成してもよい。
左右側面壁２３，２４の上端部に連設されたフラップ片８１，８１を開口部側へと折り曲げる（図６（ａ）を参照）。
【００３１】
次に、下側天板５を、折り罫線９Ｅにおいて山折りし、折り罫線９Ｄ，９Ｆにおいて略直角に折り曲げる。このように折り曲げることによって、第１水平片５１、第２水平片５２、第１起立片５３及び第２起立片５４が形成されると共に、第１水平片５１の対向端部から架橋片７１が延設され、且つ第２水平片５２の対向端部から支持片７２が延設され、さらに、合掌状に合わされた第１水平片５１及び第２水平片５２（ヘッダー部４）の面内に、吊下げ用孔４１が形成される。このとき、架橋片７１が支持片７２の上側に重なるように組み合わせる（図６（ｂ）及び図７を参照）。
折り曲げて形成した第１水平片５１及び第２水平片５２（下側天板５）を、箱本体２の開口部を塞ぐように、折り罫線９Ｂにおいて略直角に折り曲げる（図６（ｃ）を参照）。
最後に、上側天板６を折り罫線９Ｃにおいて略直角に折り曲げ、突出されたヘッダー部４に挿通孔６３を挿通すると共に、上側天板６を下側天板５の上に重ね合わせ、さらに、フラップ片６１を挿入用切込み線５７に挿入する。
【００３２】
このようにして、図１に示すような吊下げ包装箱１を形成できる。
本発明の吊下げ包装箱１は、天板の湾曲を防止するための架橋片７１を、切り目のような挿入し難い部分に挿入する必要性がないので、上記のように簡単に組み立てることができる。かかる吊下げ包装箱１は、組み立て装置の機能にも因るが、機械的に組み立てることも可能である。
【００３３】
上記吊下げ包装箱１は、陳列棚のフックに、ヘッダー部４の吊下げ用孔４１を引っ掛けることにより、吊下げ陳列できる。
本発明の吊下げ包装箱１は、第１水平片５１から延設された架橋片７１が、上側天板６の挿通孔６３を横切り、且つ第２水平片５２と上側天板６の層間に差し込まれている。この架橋片７１は、２つに分かれている第１水平片５１と第２水平片５２とを略同一平面上に保つように、両片をブリッジする作用を有する。
このため、吊下げ包装箱１を吊り下げたときに、商品の自重によりヘッダー部４が下方に引っ張られても、第１水平片５１及び第２水平片５２がアーチ状に湾曲し難くなり、この第１水平片５１及び第２水平片５２（下側天板５）の上に重ねられた上側天板６もアーチ状に湾曲し難くなる。
よって、本発明の吊下げ包装箱１は、吊り下げたときに、天板が不用意に開き難くなる。
特に、架橋片７１の下に支持片７２が設けられているので、天板（下側天板５及び上側天板６）がより湾曲し難くなる。
【００３４】
上記吊下げ包装箱１は、通常、吊り下げて陳列されるが、多段状に積み重ねて陳列又は保管することもできる。
例えば、図８に示すように、ヘッダー部４の基部（例えば、折り罫線９Ｆ）において、ヘッダー部４を上側天板６の上に重なるように折り曲げ、ヘッダー部４の係止爪部４２の先端部を、上側天板６の係止孔６２に挿入することにより、ヘッダー部４が上側天板６に係止され、ヘッダー部４は立ち上がらなくなる。
よって、上側天板６の上面が、略平坦状になり、１つの吊下げ包装箱１の上側天板６の上に、他の吊下げ包装箱１の底面部２５を載せていくことができる。
【００３５】
なお、本発明の吊下げ包装箱１は、上記実施形態に示した構成に限られず、適宜設計変更可能である。
例えば、上記実施形態においては、第１水平片５１から架橋片７１が延設され、且つ第２水平片５２から支持片７２が延設されているが、これとは反対に、第１水平片５１から支持片７２が延設され、且つ第２水平片５２から架橋片７１が延設されていてもよい。第２水平片５２から架橋片７１が延設されている場合、該架橋片７１は、挿通孔６３を横切り、且つ第１水平片５１と上側天板６の層間に差し込まれる。また、第１水平片５１から支持片７２が延設されている場合、該支持片７２は、第１水平片５１の下に重ねられる。
【００３６】
さらに、上記実施形態においては、架橋片７１と支持片７２が設けられているが、第１水平片５１又は第２水平片５２のいずれか一方に架橋片７１のみが設けられていてもよい。支持片７２が設けられていなくても、架橋片７１が第１水平片５１及び第２水平片５２の間をブリッジするので、天板３の湾曲を防止できる。もっとも、天板３の湾曲をより防止できる点から、支持片７２が設けられていることが好ましい。
また、上記実施形態においては  架橋片７１及び支持片７２は、孔形成用第１切込み線５５及び孔形成用第２切込み線５６で区画された領域からなるので、吊下げ用孔４１の形成と同時に架橋片７１及び支持片７２を形成できるという利点がある。もっとも、架橋片７１及び支持片７２は、孔形成用第１切込み線５５及び孔形成用第２切込み線５６で区画された領域から形成されている場合に限定されず、吊下げ用孔４１の形成のための前記切込み線以外に、切込み線を形成することにより、架橋片７１及び支持片７２が形成されていてもよい。
【００３７】
さらに、上記実施形態においては、係止手段は、ヘッダー部４に形成された係止爪部４２と上側天板６に形成された係止孔６２とから構成されているが、例えば、図９に示すように、上側天板６に形成された係止爪部６５から構成されていてもよい。この場合、ヘッダー部４に係止孔や係止爪部を形成しなくても、前記上側天板６の係止爪部６５をヘッダー部４の縁部に係止することにより、ヘッダー部４が上側天板６上に重ねられた状態を保持できる。もっとも、上記実施形態のように、ヘッダー部４に係止爪部６５を設けてこの先端部を上側天板６の係止孔６２に挿入する手段の方が、倒したヘッダー部４を係止させ易いので好ましい。
【産業上の利用可能性】
【００３８】
本発明の吊下げ包装箱１は、芳香剤、消臭剤、化粧品、医薬品、おもちゃなどの各種商品を収納する包装箱として使用できる。
【符号の説明】
【００３９】
１…吊下げ包装箱、２…箱本体、２１…正面壁、２２…背面壁、３…天板、４…ヘッダー部、４１…吊下げ用孔、４２…係止爪部、５…下側天板、５１…第１水平片、５２…第２水平片、５３…第１起立片、５４…第２起立片、６…上側天板、６２…係止孔、６３…挿通孔、７１…架橋片、７２…支持片、１０…展開シート
【図１】
2010215252.tif 000003
【図２】
2010215252.tif 000004
【図３】
2010215252.tif 000005
【図４】
2010215252.tif 000006
【図５】
2010215252.tif 000007
【図６】
2010215252.tif 000008
【図７】
2010215252.tif 000009
【図８】
2010215252.tif 000010
【図９】
2010215252.tif 000011